(57)【特許請求の範囲】
【請求項１】
取付用ネジを用いてマニホールドベースに複数個並列に取り付けるための電磁弁であって、
該電磁弁は、長手方向、短手方向、及び高さ方向を有する弁ボディと、該弁ボディを長手方向に貫通するスプール摺動孔と、該スプール摺動孔に摺動自在に挿入されたスプールとを備え、
上記弁ボディは、該弁ボディの長手方向に延びて互いに平行を成す第１側面及び第２側面を有し、
上記第１側面には、上記弁ボディの高さ方向に延びる第１突条と、該第１突条に平行に延びる第１凹溝とが設けられ、
上記第２側面には、上記第１凹溝に対応する位置に設けられて上記弁ボディの高さ方向に延びる第２突条と、上記第１突条に対応する位置に設けられて上記第２突条に平行に延びる第２凹溝とが設けられ、
上記第１凹溝は、上記第１側面側で隣接する他の電磁弁の第２突条を収容できるように形成され、
上記第２凹溝は、上記第２側面側で隣接する他の電磁弁の第１突条を収容できるように形成され、
上記弁ボディは、上記第１突条に沿って設けられて上記取付用ネジを挿通可能な第１挿通孔と、上記第２突条に沿って設けられて上記取付用ネジを挿通可能な第２挿通孔とを有し、
該第１挿通孔の一部が上記第１突条を貫通すると共に、上記第２挿通孔の一部が上記第２突条を貫通し、
上記第１及び第２挿通孔並びに上記第１及び第２凹溝は、上記第１側面及び第２側面と直角を成して上記スプール摺動孔の軸を含んだ平面上において、上記スプール摺動孔の軸から上記第１及び第２挿通孔の孔壁面までの最短距離と、上記スプール摺動孔の軸から上記第１及び第２凹溝の底壁面までの距離とが等しくなるように形成され、
また、上記平面上において、上記スプール摺動孔の半径は、供給用、出力用、排出用の連通孔が該スプール摺動孔に連通する位置で、該スプール摺動孔の軸から上記第１及び第２凹溝の底壁面までの距離より大きい、
ことを特徴とする電磁弁。
【請求項２】
取付用ネジを用いてマニホールドベースに複数個並列に取り付けるための電磁弁であって、
該電磁弁は、長手方向、短手方向、及び高さ方向を有する弁ボディと、該弁ボディを長手方向に貫通するスプール摺動孔と、該スプール摺動孔に摺動自在に挿入されたスプールとを備え、
上記弁ボディは、該弁ボディの長手方向に延びて互いに平行を成す第１側面及び第２側面を有し、
上記第１側面には、上記弁ボディの高さ方向に延びる第１突条と、該第１突条に平行に延びる第１凹溝とが設けられ、
上記第２側面には、上記第１凹溝に対応する位置に設けられて上記弁ボディの高さ方向に延びる第２突条と、上記第１突条に対応する位置に設けられ上記第２突条に平行に延びる第２凹溝とが設けられ、
上記第１凹溝は、上記第１側面側で隣接する他の電磁弁の第２突条を収容できるように形成され、
上記第２凹溝は、上記第２側面側で隣接する他の電磁弁の第１突条を収容できるように形成され、
上記弁ボディは、上記第１突条に沿って設けられ上記取付用ネジを挿通可能な第１挿通孔と、上記第２突条に沿って設けられ上記取付用ネジを挿通可能な第２挿通孔とを有し、
該第１挿通孔の一部が上記第１突条を貫通すると共に、上記第２挿通孔の一部が上記第２突条を貫通し、
上記第１及び第２側面から上記第１及び第２突条の頂面までの距離を共にｈ１、上記第１及び第２側面からの上記第１及び第２凹溝の深さを共にｈ２、上記第１及び第２挿通孔の孔壁面と上記第１及び第２突条の頂面との間の最小壁厚を共にｃ、上記第１及び第２挿通孔の直径をｄとしたとき、これらの寸法関係が、
ｃ＋ｄ−ｈ１＝ｈ２
となり、かつ
ｈ１＞ｈ２
となり、
また、上記平面上において、上記スプール摺動孔の半径は、供給用、出力用、排出用の連通孔が該スプール摺動孔に連通する位置で、該スプール摺動孔の軸から上記第１及び第２凹溝の底壁面までの距離より大きい、
ことを特徴とする電磁弁。
【請求項３】
上記スプール摺動孔の軸と直交する方向の断面形状は、上記弁ボディの高さ方向を向く長軸と短手方向を向く短軸とを有する細長形状であることを特徴とする請求項１又は２に記載の電磁弁。
【請求項４】
上記断面形状は、上記長軸方向に直線的に延び且つ互いに平行をなす左右の孔側壁と、該左右の孔側壁の一端同士を結ぶ上下の孔端壁とを有する形状、又は楕円形状であることを特徴とする請求項３に記載の電磁弁。
【請求項５】
長手方向、短手方向、及び高さ方向を有する弁ボディと、該弁ボディを長手方向に貫通するスプール摺動孔と、該スプール摺動孔に摺動自在に挿入されたスプールとを有する電磁弁と、
上記電磁弁を取付用ネジを用いて複数個並列に取り付けるための複数の弁取付面を有するマニホールドベースとを備える、
マニホールド形電磁弁集合体であって、
上記弁ボディには、上記取付用ネジを挿通可能な第１挿通孔と第２挿通孔とが、対を成してそれぞれ上記弁ボディの高さ方向に設けられ、
上記弁取付面には、上記第１挿通孔に対応し上記取付用ネジを螺合させることで上記電磁弁の取付を可能とする第１取付孔と、上記第２挿通孔に対応し上記取付用ネジを螺合させることで上記電磁弁の取付を可能とする第２取付孔とが、対を成してそれぞれ複数個設けられ、
上記弁ボディは、該弁ボディの長手方向に延びて互いに平行を成す第１側面及び第２側面を有し、
上記第１側面には、上記第１挿通孔に沿って延びる第１突条と、該第１突条に対して平行に延びる第１凹溝とが設けられ、
上記第２側面には、上記第１凹溝に対応する位置に設けられ上記第２挿通孔に沿って延びる第２突条と、上記第１突条に対応する位置に設けられ該第２突条に対して平行に延びる第２凹溝とが設けられ、
上記第１凹溝は、上記第１側面側で隣接する他の電磁弁の第２突条を収容するように形成され、
上記第２凹溝は、上記第２側面側で隣接する他の電磁弁の第１突条を収容するように形成され、
該第１挿通孔の一部が上記第１突条を貫通すると共に、上記第２挿通孔の一部が上記第２突条を貫通し、
上記第１及び第２挿通孔並びに上記第１及び第２凹溝は、上記第１側面及び第２側面と直角を成して上記スプール摺動孔の軸を含んだ平面上において、上記スプール摺動孔の軸から上記第１及び第２挿通孔の孔壁面までの最短距離と、上記スプール摺動孔の軸から上記第１及び第２凹溝の底壁面までの距離とが等しくなるように設けられ、
また、上記平面上において、上記スプール摺動孔の半径は、供給用、出力用、排出用の連通孔が該スプール摺動孔に連通する位置で、該スプール摺動孔の軸から上記第１及び第２凹溝の底壁面までの距離より大きい、
ことを特徴とするマニホールド形電磁弁集合体。
【請求項６】
長手方向、短手方向、及び高さ方向を有する弁ボディと、該弁ボディを長手方向に貫通するスプール摺動孔と、該スプール摺動孔に摺動自在に挿入されたスプールとを有する電磁弁と、
上記電磁弁を取付用ネジを用いて複数個並列に取り付けるための複数の弁取付面を有するマニホールドベースとを備える、
マニホールド形電磁弁集合体であって、
上記弁ボディには、上記取付用ネジを挿通可能な第１挿通孔と第２挿通孔とが、対を成してそれぞれ上記弁ボディの高さ方向に設けられ、
上記弁取付面には、上記第１挿通孔に対応し上記取付用ネジを螺合させることで上記電磁弁の取付を可能とする第１取付孔と、上記第２挿通孔に対応し上記取付用ネジを螺合させることで上記電磁弁の取付を可能とする第２取付孔とが、対を成してそれぞれ複数個設けられ、
上記弁ボディは、該弁ボディの長手方向に延びて互いに平行を成す第１側面及び第２側面を有し、
上記第１側面には、上記第１挿通孔に沿って延びる第１突条と、該第１突条に対して平行に延びる第１凹溝とが設けられ、
上記第２側面には、上記第１凹溝に対応する位置に設けられ上記第２挿通孔に沿って延びる第２突条と、上記第１突条に対応する位置に設けられ該第２突条に対して平行に延びる第２凹溝とが設けられ、
上記第１凹溝は、上記第１側面側で隣接する他の電磁弁の第２突条を収容するように形成され、
上記第２凹溝は、上記第２側面側で隣接する他の電磁弁の第１突条を収容するように形成され、
該第１挿通孔の一部が上記第１突条を貫通すると共に、上記第２挿通孔の一部が上記第２突条を貫通し、
上記第１及び第２側面から上記第１及び第２突条の頂面までの距離を共にｈ１、上記第１及び第２側面からの上記第１及び第２凹溝の深さを共にｈ２、上記第１及び第２挿通孔の孔壁面と上記第１及び第２突条の頂面との間の最小壁厚を共にｃ、上記第１及び第２挿通孔の直径をｄとしたとき、これらの寸法関係が、
ｃ＋ｄ−ｈ１＝ｈ２
となり、かつ
ｈ１＞ｈ２
となり、
また、上記平面上において、上記スプール摺動孔の半径は、供給用、出力用、排出用の連通孔が該スプール摺動孔に連通する位置で、該スプール摺動孔の軸から上記第１及び第２凹溝の底壁面までの距離より大きい、
ことを特徴とするマニホールド形電磁弁集合体。
【請求項７】
上記スプール摺動孔の軸と直交する方向の断面形状は、上記弁ボディの高さ方向を向く長軸と短手方向を向く短軸とを有する細長形状であることを特徴とする請求項５又は６に記載のマニホールド形電磁弁集合体。
【請求項８】
上記断面形状は、上記長軸方向に直線的に延び且つ互いに平行をなす左右の孔側壁と、該左右の孔側壁の一端同士を結ぶ上下の孔端壁とを有する形状、又は楕円形状であることを特徴とする請求項７に記載のマニホールド形電磁弁集合体。
【発明の詳細な説明】
【技術分野】
【０００１】
本発明は、取付用ネジを用いてマニホールドベースの取付面に複数個を並列に取り付けるための電磁弁、及び電磁弁をマニホールドベースに取り付けることにより形成されるマニホールド形電磁弁集合体に関するものである。
【背景技術】
【０００２】
従来から、特許文献１に記載のように、取付用ネジを用いてマニホールドベースの取付面に並列に取り付けるための切換弁が知られている。この切換弁は、摺動孔を有するボディの側面に突条部と溝部を設けると共に、この突条部に沿って取付用ネジを挿通するための挿通孔を設けたものである。
この突条部と溝部は共にマニホールドベースの取付面に対して上下方向に延びると共に、その断面がほぼ同一径の半円となるように形成されている。そのため、溝部に、隣接する切換弁の突条部を収容することで、切換弁の位置決めが可能となる。また、挿通孔にネジやビス（以下、ネジ等という。）を挿通させて、切換弁をマニホールドベースに対してネジ止めすることで、複数の切換弁をマニホールドベースに効率よく取り付けることが可能となる。
【０００３】
しかしながら、特許文献１に記載の切換弁では、摺動孔の外径は摺動孔の軸から溝部の底までの距離によって決定されることとなるため、取付孔と摺動孔との間の肉厚が効率的に利用されているとは言い難い。
一方で、この種の切換弁では、小形化と大流量化とが求められているので、ボディの幅に対して摺動孔の孔径を効率よく拡大することが望ましい。
【先行技術文献】
【特許文献】
【０００４】
【特許文献１】実開昭５５−７４８７６号公報
【発明の概要】
【発明が解決しようとする課題】
【０００５】
本発明は、ボディの幅に対する摺動孔の孔径の関係をより合理的にした設計構造の電磁弁及びマニホールド形電磁弁集合体を提供することを課題とするものである。
【課題を解決するための手段】
【０００６】
上記課題を解決するため、本発明に係る電磁弁は、取付用ネジを用いてマニホールドベースに複数個並列に取り付けるための電磁弁であって、該電磁弁は、長手方向、短手方向、及び高さ方向を有する弁ボディと、該弁ボディを長手方向に貫通するスプール摺動孔と、該スプール摺動孔に摺動自在に挿入されたスプールとを備え、上記弁ボディは、該弁ボディの長手方向に延びて互いに平行を成す第１側面及び第２側面を有し、上記第１側面には、上記弁ボディの高さ方向に延びる第１突条と、該第１突条に平行に延びる第１凹溝とが設けられ、上記第２側面には、上記第１凹溝に対応する位置に設けられて上記弁ボディの高さ方向に延びる第２突条と、上記第１突条に対応する位置に設けられて上記第２突条に平行に延びる第２凹溝とが設けられ、上記第１凹溝は、上記第１側面側で隣接する他の電磁弁の第２突条を収容できるように形成され、上記第２凹溝は、上記第２側面側で隣接する他の電磁弁の第１突条を収容できるように形成され、上記弁ボディは、上記第１突条に沿って設けられて上記取付用ネジを挿通可能な第１挿通孔と、上記第２突条に沿って設けられて上記取付用ネジを挿通可能な第２挿通孔とを有し、該第１挿通孔の一部が上記第１突条を貫通すると共に、上記第２挿通孔の一部が上記第２突条を貫通し、上記第１及び第２挿通孔並びに上記第１及び第２凹溝は、上記第１側面及び第２側面と直角を成して上記スプール摺動孔の軸を含んだ平面上において、上記スプール摺動孔の軸から上記第１及び第２挿通孔の孔壁面までの最短距離と、上記スプール摺動孔の軸から上記第１及び第２凹溝の底壁面までの距離とが等しくなるように形成され、また、上記平面上において、上記スプール摺動孔の半径は、供給用、出力用、排出用の連通孔が該スプール摺動孔に連通する位置で、該スプール摺動孔の軸から上記第１及び第２凹溝の底壁面までの距離より大きいことを特徴とする。
【０００７】
また、本発明に係る電磁弁は、取付用ネジを用いてマニホールドベースに複数個並列に取り付けるための電磁弁であって、該電磁弁は、長手方向、短手方向、及び高さ方向を有する弁ボディと、該弁ボディを長手方向に貫通するスプール摺動孔と、該スプール摺動孔に摺動自在に挿入されたスプールとを備え、上記弁ボディは、該弁ボディの長手方向に延びて互いに平行を成す第１側面及び第２側面を有し、上記第１側面には、上記弁ボディの高さ方向に延びる第１突条と、該第１突条に平行に延びる第１凹溝とが設けられ、上記第２側面には、上記第１凹溝に対応する位置に設けられて上記弁ボディの高さ方向に延びる第２突条と、上記第１突条に対応する位置に設けられ上記第２突条に平行に延びる第２凹溝とが設けられ、上記第１凹溝は、上記第１側面側で隣接する他の電磁弁の第２突条を収容できるように形成され、上記第２凹溝は、上記第２側面側で隣接する他の電磁弁の第１突条を収容できるように形成され、上記弁ボディは、上記第１突条に沿って設けられ上記取付用ネジを挿通可能な第１挿通孔と、上記第２突条に沿って設けられ上記取付用ネジを挿通可能な第２挿通孔とを有し、該第１挿通孔の一部が上記第１突条を貫通すると共に、上記第２挿通孔の一部が上記第２突条を貫通し、上記第１及び第２側面から上記第１及び第２突条の頂面までの距離を共にｈ１、上記第１及び第２側面からの上記第１及び第２凹溝の深さを共にｈ２、上記第１及び第２挿通孔の孔壁面と上記第１及び第２突条の頂面との間の最小壁厚を共にｃ、上記第１及び第２挿通孔の直径をｄとしたとき、これらの寸法関係が、ｃ＋ｄ−ｈ１＝ｈ２となり、かつｈ１＞ｈ２となり、また、上記平面上において、上記スプール摺動孔の半径は、供給用、出力用、排出用の連通孔が該スプール摺動孔に連通する位置で、該スプール摺動孔の軸から上記第１及び第２凹溝の底壁面までの距離より大きいことを特徴とする。
【０００８】
上記スプール摺動孔の軸と直交する方向の断面形状は、上記弁ボディの高さ方向を向く長軸と短手方向を向く短軸とを有する細長形状であってもよい。
一例として、上記断面形状は、上記長軸方向に直線的に延び且つ互いに平行をなす左右の孔側壁と、該左右の孔側壁の一端同士を結ぶ上下の孔端壁とを有する形状、又は楕円形状である。
【０００９】
また、本発明に係るマニホールド形電磁弁集合体は、長手方向、短手方向、及び高さ方向を有する弁ボディと、該弁ボディを長手方向に貫通するスプール摺動孔と、該スプール摺動孔に摺動自在に挿入されたスプールとを有する電磁弁と、上記電磁弁を取付用ネジを用いて複数個並列に取り付けるための複数の弁取付面を有するマニホールドベースとを備える、マニホールド形電磁弁集合体であって、上記弁ボディには、上記取付用ネジを挿通可能な第１挿通孔と第２挿通孔とが、対を成してそれぞれ上記弁ボディの高さ方向に設けられ、上記弁取付面には、上記第１挿通孔に対応し上記取付用ネジを螺合させることで上記電磁弁の取付を可能とする第１取付孔と、上記第２挿通孔に対応し上記取付用ネジを螺合させることで上記電磁弁の取付を可能とする第２取付孔とが、対を成してそれぞれ複数個設けられ、上記弁ボディは、該弁ボディの長手方向に延びて互いに平行を成す第１側面及び第２側面を有し、上記第１側面には、上記第１挿通孔に沿って延びる第１突条と、該第１突条に対して平行に延びる第１凹溝とが設けられ、上記第２側面には、上記第１凹溝に対応する位置に設けられ上記第２挿通孔に沿って延びる第２突条と、上記第１突条に対応する位置に設けられ該第２突条に対して平行に延びる第２凹溝とが設けられ、上記第１凹溝は、上記第１側面側で隣接する他の電磁弁の第２突条を収容するように形成され、上記第２凹溝は、上記第２側面側で隣接する他の電磁弁の第１突条を収容するように形成され、該第１挿通孔の一部が上記第１突条を貫通すると共に、上記第２挿通孔の一部が上記第２突条を貫通し、上記第１及び第２挿通孔並びに上記第１及び第２凹溝は、上記第１側面及び第２側面と直角を成して上記スプール摺動孔の軸を含んだ平面上において、上記スプール摺動孔の軸から上記第１及び第２挿通孔の孔壁面までの最短距離と、上記スプール摺動孔の軸から上記第１及び第２凹溝の底壁面までの距離とが等しくなるように設けられ、また、上記平面上において、上記スプール摺動孔の半径は、供給用、出力用、排出用の連通孔が該スプール摺動孔に連通する位置で、該スプール摺動孔の軸から上記第１及び第２凹溝の底壁面までの距離より大きいことを特徴とする。
【００１０】
また、本発明に係るマニホールド形電磁弁集合体は、長手方向、短手方向、及び高さ方向を有する弁ボディと、該弁ボディを長手方向に貫通するスプール摺動孔と、該スプール摺動孔に摺動自在に挿入されたスプールとを有する電磁弁と、上記電磁弁を取付用ネジを用いて複数個並列に取り付けるための複数の弁取付面を有するマニホールドベースとを備える、マニホールド形電磁弁集合体であって、上記弁ボディには、上記取付用ネジを挿通可能な第１挿通孔と第２挿通孔とが、対を成してそれぞれ上記弁ボディの高さ方向に設けられ、上記弁取付面には、上記第１挿通孔に対応し上記取付用ネジを螺合させることで上記電磁弁の取付を可能とする第１取付孔と、上記第２挿通孔に対応し上記取付用ネジを螺合させることで上記電磁弁の取付を可能とする第２取付孔とが、対を成してそれぞれ複数個設けられ、上記弁ボディは、該弁ボディの長手方向に延びて互いに平行を成す第１側面及び第２側面を有し、上記第１側面には、上記第１挿通孔に沿って延びる第１突条と、該第１突条に対して平行に延びる第１凹溝とが設けられ、上記第２側面には、上記第１凹溝に対応する位置に設けられ上記第２挿通孔に沿って延びる第２突条と、上記第１突条に対応する位置に設けられ該第２突条に対して平行に延びる第２凹溝とが設けられ、上記第１凹溝は、上記第１側面側で隣接する他の電磁弁の第２突条を収容するように形成され、上記第２凹溝は、上記第２側面側で隣接する他の電磁弁の第１突条を収容するように形成され、該第１挿通孔の一部が上記第１突条を貫通すると共に、上記第２挿通孔の一部が上記第２突条を貫通し、上記第１及び第２側面から上記第１及び第２突条の頂面までの距離を共にｈ１、上記第１及び第２側面からの上記第１及び第２凹溝の深さを共にｈ２、上記第１及び第２挿通孔の孔壁面と上記第１及び第２突条の頂面との間の最小壁厚を共にｃ、上記第１及び第２挿通孔の直径をｄとしたとき、これらの寸法関係が、ｃ＋ｄ−ｈ１＝ｈ２となり、かつｈ１＞ｈ２となり、また、上記平面上において、上記スプール摺動孔の半径は、供給用、出力用、排出用の連通孔が該スプール摺動孔に連通する位置で、該スプール摺動孔の軸から上記第１及び第２凹溝の底壁面までの距離より大きいことを特徴とする。
【００１１】
上記スプール摺動孔の軸と直交する方向の断面形状は、上記弁ボディの高さ方向を向く長軸と短手方向を向く短軸とを有する細長形状であってもよい。
一例として、上記断面形状は、上記長軸方向に直線的に延び且つ互いに平行をなす左右の孔側壁と、該左右の孔側壁の一端同士を結ぶ上下の孔端壁とを有する形状、又は楕円形状である。
【発明の効果】
【００１２】
本発明においては、第１側面及び第２側面と直角を成してスプール摺動孔の軸を含んだ平面上において、スプール摺動孔の軸から第１及び第２挿通孔の孔壁面までの最短距離と、スプール摺動孔の軸から第１及び第２凹溝の底壁面までの距離とが等しくなるように形成されているため、弁ボディの幅に対してスプール摺動孔の孔径を効率よく拡大することができる。
【図面の簡単な説明】
【００１３】
【図１】本発明に係る電磁弁を取り付けたマニホールド形電磁弁集合体の平面図である。
【図２】図１の断面図である。
【図３】図１に記載されている電磁弁の一つを断面にしたマニホールド形電磁弁集合体の側面図である。
【図４】電磁弁を取り外した状態でのマニホールド形電磁弁集合体の平面図である。
【図５】隣接する電磁弁の断面図であり、一方の電磁弁についてスプールを省略した図である。
【図６】第１及び第２突条を挿通する第１及び第２挿通孔の他の実施形態を説明する図である。
【図７】細長形状に形成されたスプール摺動孔の断面形状を説明する図である。
【発明を実施するための形態】
【００１４】
以下に、本発明に係る電磁弁及びマニホールド形電磁弁集合体の実施形態について詳細に説明する。
図１〜図５に示すように、本発明の電磁弁２は、マニホールドベース１に並列に取り付けられるものであり、流路切換用のスプール１６を内蔵する主弁部１４と、該スプール１６を操作する電磁操作式のパイロット弁１５とからなる。
【００１５】
マニホールドベース１は、矩形かそれに類似する断面形状を有する一方向に長いブロックからなるもので、その上面に複数設けられている平らな弁取付面３（図４参照）に電磁弁２が取り付けられている。このマニホールドベース１の内部には、図２に示すように、一括供給用及び一括排出用の流体流路６，７Ａ，７Ｂが、該マニホールドベース１を一端側から他端側に向けて長手方向に貫通するように設けられ、これらの流体流路６，７Ａ，７Ｂから分岐する複数の分岐通孔６ａ，７ａ，７ｂが、上記弁取付面３にそれぞれ開口している。図２では、中央の第１流体流路６が一括供給用、その両側の第２及び第３流体流路７Ａ，７Ｂが一括排出用である。そして、上記第１流体流路６がマニホールドベース１の長手方向の中央部を電磁弁２の並列方向に対して平行方向に延び、上記第２及び第３流体流路７Ａ，７Ｂがこの第１流体流路６の両側に位置し、該第１流体流路６と平行に延びている。
【００１６】
また、図４に示すように、上記弁取付面３には、電磁弁２を取り付けるための取付用ネジ４７を螺合可能な一対の第１及び第２取付孔９ａ，９ｂが、後述する第１及び第２挿通孔４５，４６に対応して形成されている。また、マニホールドベース１には、このマニホールドベース１をボルトやネジ等を用いて周辺機器に設置するための取付孔４が設けられている。
【００１７】
一方で、図１〜図３から明らかなように、上記主弁部１４の弁ボディ１８は、長手方向、短手方向、及び高さ方向に側面を有する略直方体状に形成されている。また、この弁ボディ１８の長手方向には、スプール１６を摺動自在に組み込む筒状のスプール摺動孔１９が貫設されている。さらに、このスプール摺動孔１９における軸Ｌ１と直交する方向の断面形状は、円形に形成されている。
【００１８】
また、スプール摺動孔１９には、１つの流体供給用の連通孔２０と、その両側に位置する２つの出力用の連通孔２１ａ，２１ｂと、更にその両側に位置する２つの排出用の連通孔２２ａ，２２ｂとが開口していて、これらの連通孔２０〜２２ｂ間の流路が上記スプール１６で切り換えられるようになっている。また、弁ボディ１８の長手方向には、スプール１６の摺動に用いるための流体を流通するパイロット通路２３がスプール摺動孔１９と平行に貫設されており、このパイロット通路２３が連通孔２０に連通されている。
【００１９】
また、図５を参照して、上記弁ボディ１８は、スプール摺動孔１９の軸Ｌ１に沿って延び且つ互いに平行を成す第１側面３２と第２側面３３と、底面３４及び上面３５を有している。
【００２０】
上記底面３４は上記マニホールドベース１の弁取付面３に取り付けるために略矩形で実質的に平らに形成されており、その中央に供給用の連通孔２０が開口している。また、この連通孔２０の両側には、排出用の連通孔２２ａ，２２ｂが連通孔２０に対してほぼ対称に開口している。そして、これらの連通孔２０，２２ａ，２２ｂの開口位置は、上記弁取付面３にこの電磁弁２を取り付けたときに、分岐通孔６ａ，７ａ，７ｂとそれぞれ連通する位置である。
【００２１】
また、上記マニホールドベース１の短手方向の一側面１ａには、上記電磁弁２に流入されている流体を出力するための第１及び第２出力ポートＡ，Ｂが、２個を１組として上記電磁弁２の数と同じ組数だけ設けられている。また、上記第１及び第２出力ポートＡ，Ｂには出力用連通孔８ａ，８ｂがそれぞれ通じており、この出力用連通孔８ａ，８ｂが、上記弁取付面３の分岐通孔６ａと７ａとの間、及び分岐通孔６ａと７ｂとの間に一つずつ開口している。そして、この出力用連通孔８ａ，８ｂは、上記弁取付面３に上記電磁弁２を取り付けたときに、出力用の連通孔２１ａ，２１ｂとそれぞれ連通するようになっている。
【００２２】
弁ボディ１８の長手方向、すなわちスプール摺動孔１９の軸Ｌ１方向の両端部には、それぞれ第１及び第２ピストンカバー２８ａ，２８ｂが取り付けられている。また、第１ピストンカバー２８ａとスプール１６との間には、ピストン室２９ａが形成され、このピストン室２９ａ内に、スプール１６の第一端１６ａに当接するピストン２９が設けられ、このピストン２９の一側に圧力室３０ａが設けられている。また、上記第２ピストンカバー２８ｂと上記スプール１６との間には、スプール１６を復帰させる流体が常時供給される圧力室３０ｂが形成され、この圧力室３０ｂは、パイロット通路２３を介して上記連通孔２０に連通している。なお、図中２４は手動操作のための操作子であって、上記パイロット弁１５に通電したときの状態を手動操作で再現するためのものである。
【００２３】
次に、弁ボディ１８に形成されている第１及び第２突条４１，４２と第１及び第２凹溝４３，４４について説明する。上記第１側面３２には、高さ方向に延びる第１突条４１と、該第１突条４１に対して平行に延びる第１凹溝４３とが設けられている。また、上記第２側面３３には、上記第１凹溝４３に対応する位置に設けられ高さ方向に延びる第２突条４２と、第１突条４１に対応する位置に設けられ該第２突条４２に対して平行に延びる第２凹溝４４とが設けられている。
【００２４】
第１及び第２突条４１，４２と第１及び第２凹溝４３，４４の溝の横断面の形状は、共に、等脚台形の下底を除去されたような形をしていて、第１及び第２突条４１，４２の頂面４１ａ，４２ａと、第１及び第２凹溝４３，４４の底壁面４３ａ，４４ａとは、何れも平坦で第１及び第２側面３２，３３と平行を成している。そして、第１及び第２突条４１，４２の断面は、第１及び第２凹溝４３，４４の溝よりも僅かに大きい。従って、マニホールドベース１に複数の電磁弁２を並列に取り付ける際に、隣接する電磁弁２の間に僅かな隙間を有しながら、第１凹溝４３及び第２凹溝４４はそれぞれ隣接する電磁弁２の第２突条４２及び第１突条４１を収容するように形成されている。
【００２５】
また、弁ボディ１８には、第１及び第２突条４１，４２に沿って設けられ取付用ネジ４７を挿通可能な第１及び第２挿通孔４５，４６が設けられている。そして、この第１及び第２挿通孔４５，４６は、第１挿通孔４５の一部が第１突条４１を貫通すると共に弁ボディ１８の肉厚部１８ａを貫通し、第２挿通孔４６の一部が第２突条４２を貫通すると共に弁ボディ１８の肉厚部１８ａを貫通するように配されている。
【００２６】
次に、この電磁弁２の第１及び第２突条４１，４２、第１及び第２凹溝４３，４４、及び第１及び第２挿通孔４５，４６の位置関係について説明する。第１側面３２及び第２側面３３と直角を成してスプール摺動孔１９の軸Ｌ１を含む平面Ｐ上における、第１及び第２挿通孔４５，４６の孔壁面４５ａ、４６ａがスプール摺動孔１９に最も近接する部分と軸Ｌ１との距離をＤ１、第１及び第２凹溝４３，４４の底壁面４３ａ，４４ａと上記軸Ｌ１との距離をＤ２とすると、第１及び第２凹溝４３，４４、及び第１及び第２挿通孔４５，４６は、距離Ｄ１とＤ２とが等しくなるように弁ボディ１８に設けられている。
【００２７】
ところで、この弁ボディ１８において上記の距離Ｄ１とＤ２とが異なる場合には、スプール摺動孔１９は短い方の距離に対応させてその径を設定する必要がある。そのため、距離Ｄ１がＤ２よりも長い場合には、スプール摺動孔１９の側壁１９ａと第１及び第２挿通孔４５，４６の孔壁面４５ａ，４６ａとの間の肉厚が必要以上に大きくなる。また、距離Ｄ２がＤ１よりも長い場合には、スプール摺動孔１９の側壁１９ａと第１及び第２凹溝４３，４４の底壁面４３ａ，４４ａとの間の肉厚が必要以上に大きくなる。従って、上記距離Ｄ１とＤ２とを等しくすることにより、これらの肉厚が必要以上に厚くならないため、弁ボディ１８の幅に対するスプール摺動孔１９の孔径を効率よく拡大することができる。
【００２８】
また、この平面Ｐ上において、スプール摺動孔１９の側壁１９ａと第１及び第２凹溝４３，４４の底壁面４３ａ，４４ａとの距離、及び、該側壁１９ａと第１及び第２挿通孔４５，４６の孔壁面４５ａ，４６ａとの距離をｃ２とすると、スプール摺動孔１９の直径ｈ３は以下の数式で表される。
ｈ３＝２×（Ｄ１−ｃ２）＝２×（Ｄ２−ｃ２）                          （１）
【００２９】
なお、図５に示す第１及び第２挿通孔４５，４６は、第１及び第２突条４１，４２の頂面４１ａ，４２ａから離隔して形成されているが、これに限られない。例えば、図６に示すように、第１及び第２挿通孔４５，４６は、上記頂面４１ａ，４２ａに孔壁面４５ａ，４６ａの一部が開口する位置に形成されていてもよい。このとき、第１及び第２挿通孔４５，４６は、その軸方向の断面が優弧状に形成されることが望ましい。
【００３０】
また、この平面Ｐ上において、第１及び第２側面３２，３３と第１及び第２突条４１，４２の頂面４１ａ，４２ａとの距離をｈ１、第１及び第２側面３２，３３からの第１及び第２凹溝４３，４４の溝の深さをｈ２、この頂面４１ａ，４２ａと第１及び第２挿通孔４５，４６の孔壁面４５ａ，４６ａとの距離をｃ、第１及び第２挿通孔４５，４６の直径をｄとすると、これらを以下の関係で表すことができる。
ｃ＋ｄ−ｈ１＝ｈ２                                                    （２）
ここで、第１及び第２凹溝４３，４４の溝の深さｈ２は第１及び第２突条４１，４２の高さｈ１よりも所定の値αだけ短いため、ｈ２＝ｈ１−αを数式（２）に代入することで、以下の関係が成り立つ。
ｈ１＝（α＋ｃ＋ｄ）／２                                              （３）
【００３１】
以上説明したように、本実施形態の電磁弁２は、上記（１）式が成り立つように構成し、或いは上記（２）及び（３）式が成り立つように構成されているため、弁ボディ１８の幅に対するスプール摺動孔１９の大径化を達成することができる。
【００３２】
次に、本発明に係るマニホールド形電磁弁集合体５０について説明する。本発明に係るマニホールド形電磁弁集合体５０は、上述した電磁弁２とマニホールドベース１とを備えるものであり、取付用ネジ４７を用いて、マニホールドベース１の弁取付面３に電磁弁２を取り付けるものである。マニホールド形電磁弁集合体５０を構成する電磁弁２とマニホールドベース１の構成は、上述した電磁弁２及びマニホールドベース１の構成と同一であるため、各構成についての説明は省略する。
【００３３】
また、上述した電磁弁２及びマニホールド形電磁弁集合体５０では、スプール摺動孔１９の軸Ｌ１と直交する方向の断面形状は円形であるが、この断面形状は、図７に示すような上記弁ボディ１８の高さ方向を向く長軸と短手方向を向く短軸とを有する細長形状であってもよい。この細長形状の一例としては、電磁弁２Ａに示すような長方形状や、電磁弁２Ｂに示すような楕円形状や、電磁弁２Ｃに示すような、長軸方向に直線的に延び且つ互いに平行をなす左右側壁１９ｂ、該左右側壁１９ｂの一端同士を結ぶ上側壁１９ｃ、及び該左右側壁１９ｂの他端同士を結ぶ下側壁１９ｄとを有するトラック形状がある。また、このとき、スプール１６に設けられているランド部は、スプール摺動孔１９における上記断面形状と同一の形状となる。
そして、このように軸Ｌ１方向に対して垂直方向の断面を細長形状とするスプール摺動孔１９であっても、上記（１）式、或いは（２），（３）式を満たすような電磁弁２Ａ〜２Ｃを形成することにより、当該断面を円形とするスプール摺動孔１９と同様に、ボディの幅に対してスプール摺動孔の孔径を効率よく拡大することができる。
【００３４】
以上、本発明に係る電磁弁及びマニホールド形電磁弁集合体の実施形態について詳細に説明してきたが、本発明は上述の実施形態に限定されるものではなく、本発明の要旨を逸脱しない範囲において、様々な設計変更が可能である。例えば、上述の実施形態では、第１及び第２突条４１，４２の短手方向の断面と第１及び第２凹溝４３，４４の溝の形状は共に台形状に形成されているが、この形状は、マニホールドベース１に取り付けられる電磁弁２の位置決めができるように互いに類似する形状になっていればよく、例えば長方形状や三角形状であってもよい。
【符号の説明】
【００３５】
１  マニホールドベース
２  電磁弁
３  弁取付面
１６  スプール
１８  弁ボディ
１９  スプール摺動孔
３２  第１側面
３３  第２側面
４１  第１突条
４２  第２突条
４３  第１凹溝
４４  第２凹溝
４５  第１挿通孔
４６  第２挿通孔
５０  マニホールド形電磁弁集合体
Ｌ１  （スプール摺動孔の）軸
【図１】
0006751906.tif 000002
【図２】
0006751906.tif 000003
【図３】
0006751906.tif 000004
【図４】
0006751906.tif 000005
【図５】
0006751906.tif 000006
【図６】
0006751906.tif 000007
【図７】
0006751906.tif 000008